(57)【要約】【課題】正しく超音波の到達時間測定ができたかどうか判断する超音波流量計を提供する。【解決手段】順方向と逆方向の超音波の送受信を一定のサンプリング間隔で８回ずつ行ない、各回の到達時間を、順方向と逆方向でそれぞれ加算し、加算したそれぞれの総到達時間に基づいて流速・流量を演算する。ノイズを誤検知すると順方向最小到達時間が極端に小さくなる。図の順方向到達時間の５回目の値が極端に小さくなっていて、ノイズを誤検知したことが判る。【選択図】図６
2010210244.tif 000002
【特許請求の範囲】
【請求項１】
超音波の到達時間の計測を、順方向と逆方向について行う流量計であって、
１つの測定として、超音波の送受信を順逆交互に一定の間隔で順方向、逆方向ともに一定複数回行い、順方向の到達時間の総和と逆方向到達時間の総和から流速や流量を求める超音波流量計において、
前記一定の間隔で行う超音波の送受信の到達時間の順方向、逆方向それぞれの最大値と最小値、即ち順方向最大到達時間、順方向最小到達時間、逆方向最大到達時間、逆方向最小到達時間を記憶するようにして、
記憶した各方向の最大値、最小値、即ち順方向最大到達時間、順方向最小到達時間、逆方向最大到達時間、逆方向最小到達時間を用いて、正しく到達時間測定ができたかどうかを判断する
ことを特徴とする超音波流量計。
【請求項２】
超音波の到達時間の計測を、順方向と逆方向について行う流量計であって、
１つの測定として、超音波の連続２回の送受信を順逆交互に一定の間隔で順方向、逆方向ともに一定複数回行い、順方向の到達時間の総和と逆方向の到達時間の総和から流速や流量を求める超音波流量計において、
前記連続２回の送受信の１回目と２回目の到達時間の差が前記順方向、逆方向の前記一定複数回全てで一定以下であることを、正しく測定できた条件とし、
さらに、前記一定の間隔で行う連続２回の超音波の送受信の２回分到達時間の順方向、逆方向それぞれの最大値と最小値を記憶するようにして、
前記記憶した各方向の最大値、最小値を用いて、正しく到達時間測定ができたかどうかを判断する
ことを特徴とする超音波流量計。
【請求項３】
順方向最大到達時間−順方向最小到達時間と、逆方向最大到達時間−逆方向最小到達時間を比較して、その差が所定値以下なら正しく到達時間が測定できたと判断する
ことを特徴とする請求項１又は２記載の超音波流量計。
【請求項４】
各方向において、到達時間の総和を前記一定複数回で割って平均到達時間を求め、
最大到達時間−平均到達時間と、平均到達時間−最小到達時間とを比較して、その差が所定以下であることが順逆両方向で成立したとき、正しく到達時間が測定できたと判断する
ことを特徴とする請求項１又は２記載の超音波流量計。
【請求項５】
最大到達時間−最小到達時間が一定以上であることが、両方向において成立したときは、前記判断を行なわないようにした
ことを特徴とする請求項１乃至４の何れか１項に記載の超音波流量計。
【請求項６】
流速が一定以上の時は前記判断を行なわないようにしたことを特徴とする請求項１乃至５の何れか１項に記載の超音波流量計。
【発明の詳細な説明】
【技術分野】
【０００１】
本発明は、順方向と逆方向それぞれの超音波到達時間に基づいて流体の流量を計測する超音波流量計のノイズ対策に関する。
【背景技術】
【０００２】
超音波流量計では、流体の流れと同じ順方向の超音波の伝播時間と、流体の流れと逆の逆方向の超音波の伝播時間とから流速を求め、この流速に流路断面積を乗じて流量（瞬間流量ともいう）を求めている。
【０００３】
図３に示すように、流管１内の上流側と下流側に一定の距離をおいて、送受波器２，３を配置し、送受波器２から流体の流れに沿った方向（順方向）に超音波を送信して、この超音波が受信側の送受波器３に到達するまでの順方向到達時間と、下流側の送受波器３から流体の流れと逆方向に超音波を送信して、この超音波が受信側の送受波器２に到達するまでの逆方向到達時間とから、流速・流量を求める、いわゆる時間差法などが周知である。
【０００４】
一般的な受信波の受信ポイントを検知する方法は、図２にあるように、しきい値として設定された一定電圧Ｖｔｈを最初に超えた波のゼロクロス点を受信ポイントとする。図２では、（Ａ）点でＶｔｈを超えた波がゼロクロスする点（Ｂ）を受信ポイントとしている。
【０００５】
受信側の送受波器により受信した超音波信号は電気信号に変換されるが、極めて小さな信号である。超音波流量計の出力線等から入る電気的ノイズ（以後、単にノイズという）は、受信信号に重畳されることがある。ノイズが受信波に重畳する状況は図１のようになる。ノイズの大きさが真の受信波と同等の大きさとなると誤検知の可能性がある。図１のようにノイズを誤検知して誤った到達時間を検出すると、真の受信波を検知した場合の本来の到達時間を検出した場合に比べて大きな測定誤差となる。
【０００６】
これを防ぐ方法として、先ず電子回路による帯域通過フィルタを設けて、ノイズを除去する方法がある。ノイズの周波数は使用する超音波の周波数と異なる場合が多い。そこで、使用する超音波の周波数を含む一定の周波数帯域を通過させる帯域通過フィルタが用いられる。
【０００７】
また、超音波を発信してから受信するまでの時間、即ち到達時間は送受波器間の距離と、被測定流体中の音速とから推定可能であるため、受信波を受信する直前まで信号を受け付けないゲートを受信用の電子回路に設ける方法もある。
【先行技術文献】
【特許文献】
【０００８】
無し
【発明の概要】
【発明が解決しようとする課題】
【０００９】
上記帯域通過フィルタを用いる方法では、使用している超音波の周波数に近い周波数のノイズ成分が帯域通過フィルタを通過してしまい、ノイズを完全には消しきれないという課題が残る。
【００１０】
また、上記のゲートを用いる方法では、受信波が到達するまでには確実にゲートを開にしておく必要があるため、ある程度早めにゲートを開いておく必要がある。よって、図１に示すように、受信波直前のノイズを誤検知してしまうことが起き、誤った到達時間を計測し、真の受信波直前のノイズであっても、流量にすると大きな誤差となるという課題が残る。
【００１１】
受信波の受信ポイントは温度等で変化するため、上述のようにある程度早めにゲートを開く必要があり、そのため、受信波の前のノイズを受け付けてしまうこととなり、その結果到達時間に大きな誤差を生じ、求めた流量に大きな誤差が生じる。
【００１２】
また、ノイズによる誤動作を防ぐには、ノイズを受信波（受信信号）に比べ十分に小さくする必要があり、そのためシールドや性能の良いノイズ対策部品が必要になり、高コストになるとか、帯域通過フィルタも帯域幅が狭く、温度変化があっても性能が変わらない、いわゆる高精度の帯域通過フィルタが必要で、コスト高になるという課題が残る。
【課題を解決するための手段】
【００１３】
本発明は、上記に鑑み、測定した到達時間を用いて、正しく到達時間測定ができたかどうかを判断するようにした超音波流量計を提供するものである。
【００１４】
そこで、請求項１の第１の発明は、超音波の到達時間の計測を、順方向と逆方向について行う流量計であって、
１つの測定として、超音波の送受信を順逆交互に一定の間隔で順方向、逆方向ともに一定複数回行い、順方向の到達時間の総和と逆方向到達時間の総和から流速や流量を求める超音波流量計において、
前記一定の間隔で行う超音波の送受信の到達時間の順方向、逆方向それぞれの最大値と最小値、即ち順方向最大到達時間、順方向最小到達時間、逆方向最大到達時間、逆方向最小到達時間を記憶するようにして、
記憶した各方向の最大値、最小値、即ち順方向最大到達時間、順方向最小到達時間、逆方向最大到達時間、逆方向最小到達時間を用いて、正しく到達時間測定ができたかどうかを判断する
ことを特徴とする超音波流量計である。
【００１５】
また、請求項２の第２の発明は、超音波の到達時間の計測を、順方向と逆方向について行う流量計であって、
１つの測定として、超音波の連続２回の送受信を順逆交互に一定の間隔で順方向、逆方向ともに一定複数回行い、順方向の到達時間の総和と逆方向の到達時間の総和から流速や流量を求める超音波流量計において、
前記連続２回の送受信の１回目と２回目の到達時間の差が前記順方向、逆方向の前記一定複数回全てで一定以下であることを、正しく測定できた条件とし、
さらに、前記一定の間隔で行う連続２回の超音波の送受信の２回分到達時間の順方向と逆方向それぞれの最大値と最小値を記憶するようにして、
前記記憶した各方向の最大値、最小値を用いて、正しく到達時間測定ができたかどうかを判断する
ことを特徴とする超音波流量計である。
【００１６】
また、請求項３の第３の発明は、順方向最大到達時間−順方向最小到達時間と、逆方向最大到達時間−逆方向最小到達時間を比較して、その差が所定値以下なら正しく到達時間が測定できたと判断する
ことを特徴とする請求項１又は２記載の超音波流量計である。
【００１７】
また、請求項４の第４の発明は、各方向において、到達時間の総和を前記一定複数回で割って平均到達時間を求め、
最大到達時間−平均到達時間と、平均到達時間−最小到達時間とを比較して、その差が所定以下であることが順逆両方向で成立したとき、正しく到達時間が測定できたと判断する
ことを特徴とする請求項１又は２記載の超音波流量計である。
【００１８】
また、請求項５の第５の発明は、最大到達時間−最小到達時間が一定以上であることが、両方向において成立したときは、前記判断を行なわないようにした
ことを特徴とする請求項１乃至４の何れか１項に記載の超音波流量計である。
【００１９】
そして、請求項６の第６の発明は、流速が一定以上の時は前記判断を行わないようにしたことを特徴とする請求項１乃至５の何れか１項に記載の超音波流量計である。
【発明の効果】
【００２０】
請求項１の発明は、順逆方向の超音波の到達時間を監視することで、ノイズ誤検知したかどうかの判断が可能となり、流量計の信頼性が向上する。
【００２１】
請求項２の発明では、さらにノイズ誤検知能力が高まり、ノイズ誤検知の排除が可能となる。つまり、ノイズを間違って採用することがなくなる。
【００２２】
請求項３の発明では、順方向と逆方向のそれぞれにおいて、最大到達時間−最小到達時間の値を算出し、順方向の値と逆方向の値を比較して、その差が所定値以下なら正しく到達時間が測定できたと判断する。このことで、より確実にノイズ誤検知を排除できる。
【００２３】
請求項４の発明は、順方向あるいは逆方向の単独でノイズ誤検知の判断ができる。ノイズを誤検知する確立は小さいため、複数回行った同方向の送受信のうち、ノイズ誤検知してしまうのはそのうちの１回といってよい。正しく測定できた場合（図７の逆方向に相当）、全ての到達時間が近い値となり、従って平均到達時間と最大到達時間、平均到達時間と最小到達時間のそれぞれの差は小さい値となり、大きな違いがない。しかし、図７の順方向のように、ノイズを誤検知した場合、ノイズ誤検知した到達時間は他の到達時間より短くなり、平均到達時間と最小到達時間の差が平均到達時間と最大到達時間より大きくなる。これにより、ノイズ誤検知したかどうかの判断が可能となる。
【００２４】
請求項５の発明で、両方向で最大到達時間−最小到達時間が一定以上とは、流速変動が大きな場合であり、変動の平均化、最大到達時間、最小到達時間の検知が不確実の場合、誤判断する可能性があるが、そのようなことを避けるものである。１つの測定で十分な回数の送受を行うようにすれば誤判断をなくすことが可能である。
【００２５】
請求項６の発明は、流速が大きい場合、流速変動が大きくなる傾向があることと、ノイズ誤検知による誤差をある程度許容できることに注視したものである。よって、誤判断の可能性をなくすため、判断をしないことも効果的である。
【図面の簡単な説明】
【００２６】
【図１】受信波とノイズを説明する図。
【図２】受信波と受信ポイントの図。
【図３】本発明の実施例のブロック図。
【図４】本発明の実施例の要部ブロック図。
【図５】到達時間のデータを示す図。
【図６】到達時間のデータを示す図。
【図７】到達時間のデータを示す図。
【図８】本発明の実施例のブロック図。
【図９】本発明の実施例の要部ブロック図。
【発明を実施するための形態】
【００２７】
図３において、流路１の上流と下流に一定距離をおいて配設された一対の超音波送受波器２，３は、方向切替部４を介して駆動部５および受信波検知部６に接続される。切替部４は制御部からの発信方向信号が順方向の場合は、上流側の送受波器２を駆動部５に、下流側の送受波器３を受信波検知部６に接続する。逆方向の場合はその逆である。
【００２８】
時間計測部８は、制御部７からの発信方向信号、発信指令信号、受信波検知部６からの受信検知信号が入力されていて、順方向の到達時間の総和である順方向総到達時間、逆方向の到達時間の総和である逆方向総到達時間、順方向最大到達時間、順方向最小到達時間、逆方向最大到達時間、逆方向最小到達時間を制御部７に出力する。
【００２９】
駆動部５は、制御部７からの発信指令信号が入力されると、接続されている送受波器、例えば２を駆動する。
【００３０】
受信波検知部６は、接続されている送受波器、例えば３の信号（受信波）を受けて、受信ポイント（Ｂ）を検知して受信検知信号を出力する。
【００３１】
時間計測部８の構成を図４に示す。第１の総到達時間カウンタ９は送信指令信号でカウントを開始し、受信検知信号でカウントを停止するカウンタで、発信方向信号が該当する順方向時のみ機能してカウントする。
【００３２】
第２の総到達時間カウンタ１０は、同様に送信指令信号でカウントを開始し、受信検知信号でカウントを停止するカウンタで、発信方向信号が該当する逆方向時のみ機能してカウントする。
【００３３】
到達時間カウンタ１１は、発信指令信号から受信検知信号までの時間を送受信毎に毎回測定する。
【００３４】
第１の最大値記憶器１２は、受信検知信号時に到達時間カウンタ１１の値と自身が記憶している値の比較を行ない、大きい方を記憶し直すことにより到達時間カウンタ１１が計測した値の最大値を記憶する。この第１の最大値記憶器１２は、順方向についての最大到達時間を記憶する。
【００３５】
第１の最小値記憶器１３は、逆に小さい方の値を記憶し直すことで順方向最小到達時間を記憶する。
【００３６】
第２の最大値記憶器１４と第２の最小値記憶器１５は、逆方向時における逆方向最大到達時間と逆方向最小到達時間とをそれぞれ記憶する。
【００３７】
これらの記憶器１２〜１５は、制御部７（図３参照）からの図示されていない指令により、最大値記憶器１２と１４はゼロに、最小値記憶器１３と１５は最大カウント値にリセット（初期化）されるようになっている。
【００３８】
制御部７は、１つの測定で以下の動作を行う。時間計測部８の各時間を図示していない信号ラインのリセット信号でリセットして、発信方向信号を順方向として発信指令信号を出力、一定時間（サンプリング間隔）後、発信方向信号を逆方向として発信指令信号を出力、一定時間（サンプリング間隔）後、再び順方向として発信指令する。このようにして順方向と逆方向で各８回出力する（図５参照）。
【００３９】
その後時間計測部８から、順方向総到達時間、逆方向総到達時間、順方向最大到達時間、順方向最小到達時間、逆方向最大到達時間、逆方向最小到達時間を読み取り、（順方向最大到達時間−順方向最小到達時間）と（逆方向最大到達時間−逆方向最小到達時間）とを比較、その差が所定値を超えた時は、その測定は失敗として測定値は採用せず、前回の流量を採用して以降の流量積算等を行う。
【００４０】
その差が所定値以下なら順方向総到達時間、逆方向総到達時間を用いて流量を算出する。このようにしてノイズの影響を受けない超音波流量計が実現する。
【００４１】
なお、制御部７は前記１つの測定を一定周期で行い、求めた流量×前記周期を計算、その値を積算して図示していない表示器に積算流量として表示する。
【実施例１】
【００４２】
請求項２に対応する実施例を図８に示す。全体の構成は殆ど図３と同じであるので、図３と違う部分について主に説明する。
【００４３】
図８の実施例１では、受信波検知部６Ａからの受信波検知信号が駆動部５にも入力されていて、その信号により発信指令信号による発信（送信）後に１度だけ再発信（２回目の発信）を行うようになっている。
【００４４】
また時間計測部８Ａから一致信号が制御部７Ａに入力されている。時間計測部８Ａは図９に示すように、前述した図４の構成に加えて一致検出器１６があり、連続する送受信の到達時間が全ての前記連続する送受信について前後の到達時間が一致することを検知して一致信号を出力する。前後の到達時間が一致することは、超音波の半周期以内の時間では『一致』としている。
【００４５】
その他の構成は図４の場合と同じであるが、到達時間カウンタ１１は送信指令信号でカントを開始し、２回目の受信検知信号でカウントを停止するようになっていて、到達時間カウンタ１１、最大値記憶器１２，１４、最小値記憶器１３，１５は連続する送受信の２回分の時間をカウントしたり記憶したりするようになっている。
【００４６】
制御部７Ａは（図３、図４で説明したと同じ）１つの測定が終了すると、先ず一致信号を確認してすべての連続する送受信の２つの到達時間が一致していたことを確認する。一致していない送受信があれば、この時点でノイズ誤検知があったとして、以後の流量演算は行わず、前回の流量値を使用する。
【００４７】
一致していた時は、順方向総到達時間、逆方向総到達時間、順方向最大到達時間、順方向最小到達時間、逆方向最大到達時間、逆方向最小到達時間を読み取り、各方向において、総到達時間を前記一定複数回である８で割って、平均到達時間を求め、最大到達時間−平均到達時間と、平均到達時間−最小到達時間とを比較して、その差が所定以下であることが順逆両方向で成立したとき、到達時間が正しく測定できたとして、両方向の総到達時間から流量を演算する。
【００４８】
これらの判断及び流量算出は、制御部７（７Ａ）内のマイコンソフトで実現していて、流量が設定値以上の時、両方向ともに最大到達時間が設定値以上の時は、この判断ルーチンはパスするようにソフトが構成してある。
【００４９】
前述のように、ノイズ誤検知と判断した場合はその回の測定値を採用せずに前回の流量値を採用するようにする代りに、再トライして測定した流量値を用いるようにしてもよい。
【実施例２】
【００５０】
前記背景技術で述べたように、従来は、ノイズ対策として、帯域通過フィルタを設けるとか、受信波の到達直前に開くゲートを設けていたため、ノイズを誤検知する確立はある程度小さい。従って極稀にしか起きないノイズ誤検知を確実に実現して、ノイズ誤検知による到達時間の測定値を採用しないようにすることが、本願発明の主目的である。
【００５１】
図１のように大きなノイズが混入し、これを検知すると、いわゆるノイズ誤検知となり、本来の到達時間より短い誤った到達時間となる。図１では、受信波を受信した後も、ゲート信号が開状態を継続するように図示されているが、実際には、図２の（Ｂ）点で受信検知すると、図１のゲート信号を閉じる。つまり、受信検知時にゲートを閉とし、ノイズの影響を防止するものである。
【００５２】
図５は、ノイズがなくて、正しく測定した場合を示す。順方向の測定と逆方向の測定が一定のサンプリング間隔で交互に行われている。この図５では、１つの測定の間に順方向の到達時間測定が８回、逆方向の到達時間測定が８回行われている様子を示している。
【００５３】
逆方向到達時間が、当然順方向到達時間より大きい（長い）。そして、図５では、到達時間のバラつきは比較的小さい。
【実施例３】
【００５４】
図６は、順方向到達時間の８回の測定のうち、１回だけノイズを誤検知して順方向最小到達時間が他の順方向（最大）到達時間から掛け離れて小さな値となっている。ノイズによる誤検知の典型的な一例である。
【実施例４】
【００５５】
図７は、図６と同様に順方向到達時間の８回の測定のうち、１回だけノイズ誤検知によって順方向到達時間が極端に小さい値の順方向最小到達時間となっている。
【００５６】
なお、図７では、逆方向と順方向の各平均到達時間も図示した。
【実施例５】
【００５７】
図５で説明する。図５はノイズが無くて、到達時間を正しく測定できた場合である。超音波の送受信を順逆交互に一定のサンプリング間隔で、順方向、逆方向ともに８回行い、１つの測定としている。
【００５８】
１つの測定は順逆方向を図５のように各８回に限ることはなく、順逆交互に一定のサンプリング間隔で、所定回数ずつ超音波の送受信を行い、順方向と逆方向の総到達時間から流量を求めることができる。
方向        順      逆      順      逆      順      逆    ・・・  順      逆
到達時間  ｔ１１  ｔ２１  ｔ１２  ｔ２２  ｔ１３  ｔ２３  ・・・ｔ１ｎ  ｔ２ｎ
順方向総到達時間＝ｔ１１＋ｔ１２＋ｔ１３＋・・・＋ｔ１ｎ
逆方向総到達時間＝ｔ２１＋ｔ２２＋ｔ２３＋・・・＋ｔ２ｎ
このような順方向の所定回数（一定複数回）と、逆方向の所定回数（一定複数回）ずつの送受信をまとめて１つの測定とし、この測定を一定間隔、例えば０．５〜２秒間隔で行う。
【００５９】
図５では、横軸が時間、縦軸が到達時間である。この実施例５では１つの測定として、順方向８回、逆方向８回の合計１６回の到達時間測定値を得て、各方向の総到達時間から流速や流量を求める。
【００６０】
流れがあるため、図５のように、順方向の到達時間が逆方向の到達時間よりも短くなっている。１つの測定（つまり１つの流量測定）を構成する１６回の送受信にかかる時間は、残響が消える程度の時間である一定のサンプリング間隔をおいて行われるものの、短い。従って、この間における流量や温度の変化は小さく、各方向の到達時間の変動幅、即ち到達時間最大値−到達時間最小値は小さく、流量変化があった場合でも、順逆の両方向に同じ影響となるための変動幅は殆ど同じとなる。
【００６１】
図６は、ノイズを誤検知した場合で、順方向の５回目の総受信時に間違ってノイズを捉えている。そのため順方向の５回目の到達時間だけが、他の順方向の到達時間よりも短い。ノイズを検知したときの到達時間が図１で説明したような理由で最小値となる。
【００６２】
そのため、順方向到達時間の変動幅、即ち（到達時間最大値−到達時間最小値）が大きくなる。単純にこの変動幅によって、ノイズ誤検知か否かの判断も可能である。
【００６３】
前述のように、ノイズを誤検知する確率は極めて小さいため、順逆方向ともにノイズ誤検知するという確率はさらに小さく、また仮に順逆両方向でノイズを誤検知したとしても、ノイズが超音波の送信に対して同タイミングとなることは無いため、順方向と逆方向のノイズ誤検知に基づく最小到達時間が同じになることは無いと考えられる。従って、順方向と逆方向の到達時間の変動幅は異なることになり、これを監視することでノイズ誤検知したかどうかの判断が可能となる（請求項１と３）。
【実施例６】
【００６４】
請求項２に相当し、さらにノイズ誤検知能力を高めたものである。受信とともに２回目の同方向の送信を行うやり方で、２回連続の送受信を順逆方向交互に一定間隔で行う。
【００６５】
順順            逆逆              順順          逆逆
ｔ１１＋ｔ１２  ｔ２１＋ｔ２２  ｔ１３＋ｔ１４  ｔ２３＋ｔ２４
・
・  
・
順順            逆逆                    順順                逆逆
ｔ１５＋ｔ１６  ｔ２５＋ｔ２６  ｔ１（ｎ−１）＋ｔ１ｎ  ｔ２（ｎ−１）＋ｔ２ｎ
順方向総到達時間＝（ｔ１１＋ｔ１２）＋（ｔ１３＋・・・＋ｔ１ｎ）
逆方向総到達時間＝（ｔ２１＋ｔ２２）＋（ｔ２３＋・・・＋ｔ２ｎ）
連続する送受信は、流速・温度ともに殆ど同じ条件のため殆ど同じ到達時間となる。ところが、連続する送受信のどちらかがノイズを誤検知すると到達時間が短かくなるため、前後送受信で到達時間が異なることになる。確率的に両方にノイズが重畳することは少なく、その場合でも重畳のタイミングは同じにはならない。よって、到達時間が一致することを条件にすることで、ノイズを誤検知せずに正しく測定できたと判断できる。なお、到達時間が一致しているかどうかの判断基準は、一例として超音波の半周期程度とする。この構成により、さらにノイズ誤検知の排除（間違って採用しないこと）が可能となる。
【符号の説明】
【００６６】
１  流路
２，３  送受波器
４  方向切替部
５  駆動部
６，６Ａ  受信波検知部
７，７Ａ  制御部
８，８Ａ  時間計測部
９，１０  総到達時間カウンタ
１１  到達時間カウンタ
１２，１４  最大値記憶器
１３，１５  最小値記憶器  
１６  一致検出器
【図１】
2010210244.tif 000003
【図２】
2010210244.tif 000004
【図３】
2010210244.tif 000005
【図４】
2010210244.tif 000006
【図５】
2010210244.tif 000007
【図６】
2010210244.tif 000008
【図７】
2010210244.tif 000009
【図８】
2010210244.tif 000010
【図９】
2010210244.tif 000011